(57)【特許請求の範囲】
【請求項１】
コンテンツを送信する送信部と、当該送信部から送信された当該コンテンツを受信して所定の処理をおこなう受信部と、を備える放送コンテンツ伝送システムであって、
前記送信部は、
放送コンテンツを含むＩＰパケットを入力する入力手段と、
前記入力手段が入力したＩＰパケットを所定の方式で二つの階層に振り分ける振り分け手段と、
前記振り分け手段により振り分けられたそれぞれのＩＰパケットに対して所定のカプセル化処理を施すカプセル化手段と、
前記カプセル化手段が施したカプセル化の方式情報を生成するカプセル化方式情報生成手段と、
前記カプセル化方式情報生成手段が生成したカプセル化の方式情報とともに、前記カプセル化手段によりカプセル化されたＩＰパケットを地上デジタル放送網へ送出する送出手段と、
を備え、
前記受信部は、
前記地上デジタル放送網から、二つの階層に振り分けられ、それぞれカプセル化された前記ＩＰパケットと、前記ＩＰパケットのカプセル化の方式情報を受信する受信手段と、
前記ＩＰパケットのカプセル化の方式情報を解析するカプセル化方式情報解析手段と、
前記カプセル化方式情報解析手段の解析結果に基づき、受信した前記ＩＰパケットのカプセル化解除を行うカプセル化解除手段と、
前記カプセル化解除手段によりカプセル化解除が行われた二つの階層の前記ＩＰパケットを統合する統合手段と、
を備え、
前記振り分け手段は、前記ＩＰパケットのＩＰアドレスを検出し、検出したＩＰアドレスをあらかじめ規定された前記ＩＰアドレスごとの振り分け先情報と照合し、当該照合結果に基づいて、前記ＩＰパケットを二つの階層に振り分けることを特徴とする放送コンテンツ伝送システム。
【請求項２】
コンテンツを送信する送信部と、当該送信部から送信された当該コンテンツを受信して所定の処理をおこなう受信部と、を備える放送コンテンツ伝送方法であって、
前記送信部は、
放送コンテンツを含むＩＰパケットを入力する入力工程と、
前記入力工程で入力されたＩＰパケットを所定の方式で二つの階層に振り分ける振り分け工程と、
前記振り分け工程で振り分けられたそれぞれのＩＰパケットに対して所定のカプセル化処理を施すカプセル化処理工程と、
前記カプセル化処理工程で施されたカプセル化の方式情報を生成するカプセル化方式情報生成工程と、
前記カプセル化方式情報生成工程で生成されたカプセル化の方式情報とともに、前記カプセル化処理工程でカプセル化されたＩＰパケットを地上デジタル放送網へ送出する送出工程と、
を含み、
前記受信部は、
前記地上デジタル放送網から、二つの階層に振り分けられ、それぞれカプセル化された前記ＩＰパケットと、前記ＩＰパケットのカプセル化の方式情報を受信する受信工程と、
前記ＩＰパケットのカプセル化の方式情報を解析するカプセル化方式情報解析工程と、
前記カプセル化方式情報解析工程の解析結果に基づき、受信した前記ＩＰパケットのカプセル化解除を行うカプセル化解除工程と、
前記カプセル化解除工程によりカプセル化解除が行われた二つの階層の前記ＩＰパケットを統合する統合工程と、
を含み、
前記振り分け工程は、前記ＩＰパケットのＩＰアドレスを検出し、検出したＩＰアドレスをあらかじめ規定されたＩＰアドレスごとの振り分け先情報と照合し、当該照合結果に基づいて、前記ＩＰパケットを二つの階層に振り分けることを特徴とする放送コンテンツ伝送方法。
【発明の詳細な説明】
【技術分野】
【０００１】
この発明は、地上デジタル放送の放送コンテンツの伝送を行う放送コンテンツ伝送システムおよび放送コンテンツ伝送方法に関する。
【背景技術】
【０００２】
地上波放送などの放送網を介して放送される放送番組はデジタル放送などのデジタル化が進むとともに、インターネットなどにおいても大容量で高速な通信網の特性を活かした放送コンテンツの配信が活発になってきている。
【０００３】
近年のデジタル放送においては、データの送受信を送信側と受信側との間で双方向通信が可能な構成となっている。この技術は、インターネットを介してデータの送受信を行うことができるものであり、デジタル放送を受信したデジタル放送受信装置は、該当する放送コンテンツにかかわる双方向ｗｅｂサーバの情報を得て、インターネットなどを介してｗｅｂサーバとの間で通信を行う（たとえば、下記特許文献１参照。）。
【０００４】
【特許文献１】特開２００３−７８８３０号公報
【発明の開示】
【発明が解決しようとする課題】
【０００５】
しかしながら、従来は、ＩＰパケット等を用いて入力されたコンテンツをデジタル放送の放送波を介して伝送する手段が開示されていない。このため、デジタル放送を介して放送コンテンツを送出するための具体的手法が求められていた。
【０００６】
この発明は、上述した従来技術による問題点を解消するため、伝送したい放送コンテンツを、地上デジタル放送網を介して受信側に伝送できることを目的とする。
【課題を解決するための手段】
【０００７】
上述した課題を解決し、目的を達成するため、請求項１に記載の発明にかかる放送コンテンツ伝送システムは、コンテンツを送信する送信部と、当該送信部から送信された当該コンテンツを受信して所定の処理をおこなう受信部と、を備える放送コンテンツ伝送システムであって、前記送信部は、放送コンテンツを含むＩＰパケットを入力する入力手段と、前記入力手段が入力したＩＰパケットを所定の方式で二つの階層に振り分ける振り分け手段と、前記振り分け手段により振り分けられたそれぞれのＩＰパケットに対して所定のカプセル化処理を施すカプセル化手段と、前記カプセル化手段が施したカプセル化の方式情報を生成するカプセル化方式情報生成手段と、前記カプセル化方式情報生成手段が生成したカプセル化の方式情報とともに、前記カプセル化手段によりカプセル化されたＩＰパケットを地上デジタル放送網へ送出する送出手段と、を備え、前記受信部は、前記地上デジタル放送網から、二つの階層に振り分けられ、それぞれカプセル化された前記ＩＰパケットと、前記ＩＰパケットのカプセル化の方式情報を受信する受信手段と、前記ＩＰパケットのカプセル化の方式情報を解析するカプセル化方式情報解析手段と、前記カプセル化方式情報解析手段の解析結果に基づき、受信した前記ＩＰパケットのカプセル化解除を行うカプセル化解除手段と、前記カプセル化解除手段によりカプセル化解除が行われた二つの階層の前記ＩＰパケットを統合する統合手段と、を備え、前記振り分け手段は、前記ＩＰパケットのＩＰアドレスを検出し、検出したＩＰアドレスをあらかじめ規定された前記ＩＰアドレスごとの振り分け先情報と照合し、当該照合結果に基づいて、前記ＩＰパケットを二つの階層に振り分けることを特徴とする。
【０００８】
また、請求項２に記載の発明にかかる放送コンテンツ伝送方法は、コンテンツを送信する送信部と、当該送信部から送信された当該コンテンツを受信して所定の処理をおこなう受信部と、を備える放送コンテンツ伝送方法であって、前記送信部は、放送コンテンツを含むＩＰパケットを入力する入力工程と、前記入力工程で入力されたＩＰパケットを所定の方式で二つの階層に振り分ける振り分け工程と、前記振り分け工程で振り分けられたそれぞれのＩＰパケットに対して所定のカプセル化処理を施すカプセル化処理工程と、前記カプセル化処理工程で施されたカプセル化の方式情報を生成するカプセル化方式情報生成工程と、前記カプセル化方式情報生成工程で生成されたカプセル化の方式情報とともに、前記カプセル化処理工程でカプセル化されたＩＰパケットを地上デジタル放送網へ送出する送出工程と、を含み、前記受信部は、前記地上デジタル放送網から、二つの階層に振り分けられ、それぞれカプセル化された前記ＩＰパケットと、前記ＩＰパケットのカプセル化の方式情報を受信する受信工程と、前記ＩＰパケットのカプセル化の方式情報を解析するカプセル化方式情報解析工程と、前記カプセル化方式情報解析工程の解析結果に基づき、受信した前記ＩＰパケットのカプセル化解除を行うカプセル化解除工程と、前記カプセル化解除工程によりカプセル化解除が行われた二つの階層の前記ＩＰパケットを統合する統合工程と、を含み、前記振り分け工程は、前記ＩＰパケットのＩＰアドレスを検出し、検出したＩＰアドレスをあらかじめ規定されたＩＰアドレスごとの振り分け先情報と照合し、当該照合結果に基づいて、前記ＩＰパケットを二つの階層に振り分けることを特徴とする。
【発明の効果】
【００１６】
この発明にかかる放送コンテンツ伝送システムおよび放送コンテンツ伝送方法によれば、伝送したい放送コンテンツを、地上デジタル放送網を介して受信側に伝送させることができるようになる。特に、ＬＡＮなどのネットワークを介して取得した放送コンテンツを二つの階層に振り分け、振り分けられたそれぞれの放送コンテンツを独立に地上デジタル放送網を介して受信側へ伝送できるという効果を奏する。
【発明を実施するための最良の形態】
【００１７】
以下、添付図面を参照して、この発明にかかる放送コンテンツ伝送システムおよび放送コンテンツ伝送方法の好適な実施の形態を詳細に説明する。
【００１８】
（放送コンテンツ伝送装置および放送コンテンツ受信装置の概要）
まず、この発明の実施の形態にかかる放送コンテンツ伝送装置および放送コンテンツ受信装置の概要を説明する。
【００１９】
図１は、この発明の実施の形態にかかる放送コンテンツ伝送装置および放送コンテンツ受信装置の概要を説明するための図である。放送コンテンツ伝送装置１０１は、ＬＡＮなどのネットワークを介してアプリケーションサーバ１００から放送コンテンツを含むＩＰパケット（例えば、イーサネットフレーム）を取得する。
【００２０】
次に、放送コンテンツ伝送装置１０１は、取得したイーサネットフレームを、ＡＲＩＢ（社団法人電波産業会）の規定に沿って、デジタル放送のＡ階層とＢ階層とに振り分ける（振り分け方については後述する）。そして、放送コンテンツ伝送装置１０１は、Ａ階層に振り分けたイーサネットフレームとＢ階層に振り分けたイーサネットフレームを、階層別に所定の方式でカプセル化して、地上デジタル放送網へ送出する。また、イーサネットフレームを送出する際に、どのような方式でカプセル化されているかを示す情報も送出する。
【００２１】
一方、放送コンテンツ受信装置１０２は、放送コンテンツ伝送装置１０１から送出されたカプセル化されたイーサネットフレームを受信する。次に、受信したイーサネットフレームのカプセル化を解除する。このとき、カプセル化されたイーサネットフレームとともに送られてくるカプセル化の方式情報を参照して、カプセル化の解除が行われる。そして、カプセル化が解除されたＡ階層のイーサネットフレームとＢ階層のイーサネットフレームを統合し、放送コンテンツの再生を実行する。
【００２２】
（放送コンテンツ伝送装置の機能的構成）
次に、この発明の実施の形態にかかる放送コンテンツ伝送装置の機能的構成を説明する。
【００２３】
図２は、この発明の実施の形態にかかる放送コンテンツ伝送装置の機能的構成を示すブロック図である。コンテンツ入力部２０１には、ＬＡＮなどのネットワークを介して、アプリケーションサーバ１００（図１参照）から送られた放送コンテンツを含むイーサネットフレーム（ＩＰパケット）が入力される。コンテンツ入力部２０１に入力されたイーサネットフレームは、振り分け部２０２に送られる。
【００２４】
振り分け部２０２では、所定の方式に基づいて、入力されたイーサネットフレームをＡ階層とＢ階層という異なるデジタル放送の階層に振り分ける。振り分けの方式としては、まず、振り分け部２０２に、あらかじめ所定の振り分けパターンが設定された設定ファイルを保持させ、この設定ファイルに設定された振り分けパターンでイーサネットフレームをＡ階層とＢ階層とに振り分けることが考えられる。たとえば、設定ファイルに、“ＡＢＢＡＢＢＡＢＢ”のように振り分けパターンが設定されている場合は、イーサネットフレームを入力した順に、“ＡＢＢＡＢＢＡＢＢ”と振り分けるようにする。
【００２５】
また、入力されたイーサネットフレームがＩＰパケットを有する場合は、そのイーサネットフレームのヘッダに含まれている送信元ＩＰアドレスや宛先ＩＰアドレスなどを参照し、当該ＩＰアドレスに基づいた振り分けを行うことが考えられる。この場合は、たとえば、振り分け部２０２に送信元ＩＰアドレスまたは宛先ＩＰアドレスごとの振り分け先（Ａ階層またはＢ階層）情報を設定した設定ファイルを保持させておく。そして、振り分け部２０２は、入力されたイーサネットフレームの送信元ＩＰアドレスや宛先ＩＰアドレスを検出して、この送信元ＩＰアドレスや宛先ＩＰアドレスと設定ファイルの振り分け先情報とを照合し、該当する振り分け先（Ａ階層またはＢ階層）に当該イーサネットフレームを振り分ける。
【００２６】
Ａ階層に振り分けられたイーサネットフレームはＡ階層処理部２０３へ送られる。Ａ階層処理部２０３は、カプセル化部２１１と、カプセル化方式情報生成部２１２と、送出部２１３とを備えている。カプセル化部２１１は、Ａ階層に振り分けられたイーサネットフレームを所定の方式でカプセル化する。カプセル化方式情報生成部２１２は、カプセル化部２１１で行われたカプセル化の方式情報を生成する。送出部２１３は、カプセル化部２１１でカプセル化されたイーサネットフレームと、カプセル化方式情報生成部２１２で生成されたカプセル化の方式情報を地上デジタル放送網へ送出する。
【００２７】
カプセル化部２１１が行うイーサネットフレームのカプセル化は、たとえば、ＭＰＥ方式やＵＬＥ方式によるカプセル化を採用している。また、カプセル化方式情報生成部２１２は、たとえば、ＰＳＩ／ＳＩデータに含まれるＰＭＴテーブルの“ＥＳ＿ｌｏｏｐ”セクションの“Ｓｕｂ＿ｆｏｒｍａｔ＿ｔｙｐｅ＿ｖａｌｕｅ”にカプセル化部２１１が行ったカプセル化の方式情報を生成する。ここで生成されたカプセル化の方式情報は、放送コンテンツ受信装置１０２（図１参照）に送られ、放送コンテンツ受信装置１０２におけるイーサネットフレームのカプセル化解除の際に参照される。
【００２８】
一方、Ｂ階層に振り分けられたイーサネットフレームはＢ階層処理部２０４へ送られる。Ｂ階層処理部２０４は、カプセル化部２１４と、カプセル化方式情報生成部２１５と、送出部２１６とを備えている。カプセル化部２１４は、Ｂ階層に振り分けられたイーサネットフレームを所定の方式でカプセル化する。カプセル化方式情報生成部２１５は、カプセル化部２１４で行われたカプセル化の方式情報を生成する。
【００２９】
送出部２１６は、カプセル化部２１４でカプセル化されたイーサネットフレームと、カプセル化方式情報生成部２１５で生成されたカプセル化の方式情報を地上デジタル放送網へ送出する。なお、カプセル化部２１４が行うイーサネットフレームのカプセル化の方式は、カプセル化部２１１が行うイーサネットフレームのカプセル化の方式と同様である。また、カプセル化方式情報生成部２１５で生成されるカプセル化の方式情報の形式は、カプセル化方式情報生成部２１２で生成されるカプセル化の方式情報の形式と同様である。
【００３０】
また、この実施の形態では、Ａ階層処理部２０３のカプセル化部２１１で実行されるイーサネットフレームのカプセル化と、Ｂ階層処理部２０４のカプセル化部２１４で実行されるカプセル化を、それぞれ異なる方式で実施することも可能である。
【００３１】
（放送コンテンツ伝送処理手順）
次に、この発明の実施の形態にかかる放送コンテンツ伝送装置が行う放送コンテンツ伝送処理手順を説明する。
【００３２】
図３は、この発明の実施の形態にかかる放送コンテンツ伝送装置が行う放送コンテンツ伝送処理手順を示すフローチャートである。
【００３３】
図３に示すフローチャートにおいて、まず、コンテンツ入力部２０１（図２参照）が、放送コンテンツを含むイーサネットフレームを入力する（ステップＳ３０１）。
【００３４】
次に、振り分け部２０２（図２参照）が、当該イーサネットフレームが通常方式のものであるか否かを判定する（ステップＳ３０２）。ここで、当該イーサネットフレームが通常方式のものである場合（ステップＳ３０２：Ｙｅｓ）は、イーサネットフレームのＩＰｖ６ヘッダを読み込む（ステップＳ３０３）。この後は、ステップＳ３０６へ進む。
【００３５】
一方、ステップＳ３０２において当該イーサネットフレームが通常方式のものでない場合（ステップＳ３０２：Ｎｏ）は、振り分け部２０２が、当該イーサネットフレームがＶＬＡＮ方式のものであるか否かを判定する（ステップＳ３０４）。ここで、当該イーサネットフレームがＶＬＡＮ方式のものである場合（ステップＳ３０４：Ｙｅｓ）は、ＶＬＡＮのフレーム構造を認識し、その中身のＩＰｖ６を読み込む（ステップＳ３０５）。この後は、ステップＳ３０６へ進む。
【００３６】
一方、ステップＳ３０４において当該イーサネットフレームがＶＬＡＮ方式のものでない場合（ステップＳ３０４：Ｎｏ）は、処理を終了する。
【００３７】
続いて、振り分け部２０２が、当該イーサネットフレームの送信元ＩＰアドレス・宛先ＩＰアドレスを取得する（ステップＳ３０６）。送信元ＩＰアドレスや宛先ＩＰアドレスは、イーサネットフレームを送出したアプリケーションサーバ１００（図１参照）においてあらかじめ設定されているものである。振り分け部２０２が、振り分け先情報を取得する（ステップＳ３０７）。この振り分け先情報とは、振り分け部２０２が保持する設定ファイルにあらかじめ設定されている、送信元ＩＰアドレスや宛先ＩＰアドレスごとに規定された振り分け先（Ａ階層またはＢ階層）情報のことである。そして、振り分け部２０２が、イーサネットフレームの送信元ＩＰアドレス・宛先ＩＰアドレスと振り分け先情報とを照合する（ステップＳ３０８）。
【００３８】
次に、振り分け部２０２が、当該イーサネットフレームをＡ階層に振り分けるか否かを判定する（ステップＳ３０９）。ここでは、送信元ＩＰアドレスおよび宛先ＩＰアドレスが振り分け先情報のＡ階層側に含まれていれば、当該イーサネットフレームをＡ階層に振り分けることにする。もともと振り分け先情報に送信元ＩＰアドレスまたは宛先ＩＰアドレスの一方しか設定されていない場合は、そのいずれか一方が合致した場合に、Ａ階層に振り分けることにする。当該イーサネットフレームをＡ階層に振り分ける場合（ステップＳ３０９：Ｙｅｓ）は、カプセル化部２１１（図２参照）が、当該イーサネットフレームをＡ階層用として所定の方式でカプセル化する（ステップＳ３１０）。続いて、カプセル化方式情報生成部２１２（図２参照）が、カプセル化部２１１で行われたカプセル化の方式情報を生成する（ステップＳ３１１）。
【００３９】
なお、ここで生成されるカプセル化の方式情報は、カプセル化部２１１がどのような方式でイーサネットフレームをカプセル化したかを放送コンテンツ受信装置１０２（図１参照）へ知らせるための情報である。送出部２１３（図２参照）が、カプセル化されたＡ階層用イーサネットフレームをそのカプセル化の方式情報とともに地上デジタル放送網へ送出する（ステップＳ３１２）。
【００４０】
一方、ステップＳ３０９において当該イーサネットフレームをＡ階層に振り分けない場合（ステップＳ３０９：Ｎｏ）は、次に、振り分け部２０２が、当該イーサネットフレームをＢ階層に振り分けるか否かを判定する（ステップＳ３１３）。ここでは、送信元ＩＰアドレスおよび宛先ＩＰアドレスが振り分け先情報のＢ階層側に含まれていれば、当該イーサネットフレームをＢ階層に振り分けることにする。もともと振り分け先情報に送信元ＩＰアドレスまたは宛先ＩＰアドレスの一方しか設定されていない場合は、そのいずれか一方が合致した場合に、Ｂ階層に振り分けることにする。当該イーサネットフレームをＢ階層に振り分ける場合（ステップＳ３１３：Ｙｅｓ）は、カプセル化部２１４（図２参照）が、当該イーサネットフレームをＢ階層用として所定の方式でカプセル化する（ステップＳ３１４）。続いて、カプセル化方式情報生成部２１５（図２参照）が、カプセル化部２１４で行われたカプセル化の方式情報を生成する（ステップＳ３１５）。
【００４１】
なお、ここで生成されるカプセル化の方式情報は、カプセル化部２１４がどのような方式でイーサネットフレームをカプセル化したかを放送コンテンツ受信装置１０２（図１参照）へ知らせるための情報である。送出部２１６（図２参照）が、カプセル化されたＢ階層用イーサネットフレームをそのカプセル化の方式情報とともに地上デジタル放送網へ送出する（ステップＳ３１６）。
【００４２】
一方、ステップＳ３１３において当該イーサネットフレームをＢ階層に振り分けない場合（ステップＳ３１３：Ｎｏ）は、所定の振り分けパターンによる振り分け処理（詳細は後述する）を行う（ステップＳ３１７）。
【００４３】
図４は、図３の所定の振り分けパターンによる振り分け処理（ステップＳ３１７）の手順を示すフローチャートである。この処理は、振り分け部２０２（図２参照）が保持する設定ファイルに設定されている振り分けパターンのみに基づいて入力されたイーサネットフレームをＡ階層またはＢ階層に振り分けるものである。
【００４４】
図４に示すフローチャートにおいて、まず、振り分け部２０２（図２参照）が、送信元ＩＰアドレスや宛先ＩＰアドレスに基づく振り分け処理ができなかったイーサネットフレームをＡ，Ｂいずれの階層に振り分けるかを決定する（ステップＳ４０１）。ここでは、前述のように、振り分け部２０２が、あらかじめ所定の振り分けパターンが設定された設定ファイルを保持し、その振り分けパターンに基づいてイーサネットフレームをＡ階層またはＢ階層に振り分ける。たとえば、設定ファイルの振り分けパターンが“ＡＢＢＡＢＢＡＢＢ”となっている場合は、イーサネットフレームを入力した順に、“ＡＢＢＡＢＢＡＢＢ”と振り分ける。
【００４５】
そして、カプセル化部２１１（図２参照）が、Ａ階層に振り分けられたイーサネットフレームを所定の方式でカプセル化する（ステップＳ４０２）。続いて、カプセル化方式情報生成部２１２（図２参照）が、カプセル化部２１１で行われたカプセル化の方式情報を生成する（ステップＳ４０３）。
【００４６】
なお、ここで生成されるカプセル化の方式情報は、カプセル化部２１１がどのような方式でイーサネットフレームをカプセル化したかを放送コンテンツ受信装置１０２（図１参照）へ知らせるための情報である。送出部２１３（図２参照）が、カプセル化されたＡ階層のイーサネットフレームをそのカプセル化の方式情報とともに地上デジタル放送網へ送出する（ステップＳ４０４）。
【００４７】
また、カプセル化部２１４（図２参照）も、Ｂ階層に振り分けられたイーサネットフレームを所定の方式でカプセル化する（ステップＳ４０５）。続いて、カプセル化方式情報生成部２１５（図２参照）が、カプセル化部２１４で行われたカプセル化の方式情報を生成する（ステップＳ４０６）。
【００４８】
なお、ここで生成されるカプセル化の方式情報は、カプセル化部２１４がどのような方式でイーサネットフレームをカプセル化したかを放送コンテンツ受信装置１０２（図１参照）へ知らせるための情報である。そして、送出部２１６（図２参照）が、カプセル化されたＢ階層のイーサネットフレームをそのカプセル化の方式情報とともに地上デジタル放送網へ送出する（ステップＳ４０７）。
【００４９】
この実施の形態にかかる放送コンテンツ伝送装置によれば、上記のような手順により、入力したイーサネットフレームを送信元ＩＰアドレスや宛先ＩＰアドレスごとにＡ階層とＢ階層に振り分けることができるため、異なる宛先ＩＰアドレスを指定して放送コンテンツの送出を行うこともできる。
【００５０】
特に、送信元ＩＰアドレスや宛先ＩＰアドレスによって、階層を分けることで、ＩＰ上のセッションのトラフィックを、Ａ，Ｂいずれかの階層に固定できるので、受信状態が悪く、片方の階層だけしか受信できない場合であっても、ＩＰの通信が確立できる。もし、階層ごとに分けなければ、受信側が一方の階層だけの部分受信の場合に、パケットロスが多発しＩＰ通信が維持できなくなるが、上記構成によれば、このような不具合を回避することができる。
【００５１】
また、所定のパターンによる振り分けだけでは、Ａ階層とＢ階層とで処理遅延が異なる場合があり、パケットの到達順序が変わるおそれがある。この実施の形態では、セッションごとに、トラフィックを異なる階層に振り分けることが可能であるので、ひとつのセッション内におけるパケットの到達順序は維持される。
【００５２】
なお、パターンによる振り分けが必要な理由は、Ａ階層およびＢ階層をひとつのセッションとして利用したい場合である。たとえば、Ａ階層：３３０ｋｂｐｓ、Ｂ階層：６６０ｋｂｐｓの帯域を持つ場合を仮定したとき、９００ｋｂｐｓのセッションを放送させたい場合、Ａ階層とＢ階層をひとつのトランクのように見せなければならない。これを実現するときに、パターンによる振り分けを利用する。
【００５３】
（放送コンテンツ受信装置の機能的構成）
次に、この発明の実施の形態にかかる放送コンテンツ受信装置の機能的構成を説明する。
【００５４】
図５は、この発明の実施の形態にかかる放送コンテンツ受信装置の機能的構成を示すブロック図である。受信部５０１は、放送コンテンツ伝送装置１０１（図１，２参照）から送出された、カプセル化されたイーサネットフレーム（ＩＰパケット）および当該イーサネットフレームのカプセル化の方式情報を受信する。
【００５５】
受信部５０１が受信したカプセル化の方式情報は、カプセル化方式情報解析部５０２へ送られる。また、受信部５０１が受信したカプセル化されたイーサネットフレームは、その振り分けられた階層によって、Ａ階層処理部５０３またはＢ階層処理部５０４へ送られる。
【００５６】
カプセル化方式情報解析部５０２は、受信したカプセル化の方式情報を解析し、受信したイーサネットフレームがどのような方式でカプセル化されているかを判断する。Ａ階層処理部５０３は、カプセル化解除部５１１を備えている。このカプセル化解除部５１１は、カプセル化方式情報解析部５０２の解析結果に基づき、Ａ階層用イーサネットフレームのカプセル化解除処理を行う。
【００５７】
また、Ｂ階層処理部５０４は、カプセル化解除部５１２を備えている。このカプセル化解除部５１２は、カプセル化方式情報解析部５０２の解析結果に基づき、Ｂ階層用イーサネットフレームのカプセル化解除処理を行う。カプセル化解除処理が行われた、Ａ階層用イーサネットフレームおよびＢ階層用イーサネットフレームは、統合部５０５へ送られる。統合部５０５は、Ａ階層用イーサネットフレームとＢ階層用イーサネットフレームとを統合し、これを再生部５０６へ送る。そして、再生部５０６は、放送コンテンツの再生を行う。
【００５８】
（放送コンテンツ受信処理手順）
続いて、この発明の実施の形態にかかる放送コンテンツ受信装置が行う放送コンテンツ受信処理手順を説明する。
【００５９】
図６は、この発明の実施の形態にかかる放送コンテンツ受信装置が行う放送コンテンツ受信処理手順を示すフローチャートである。図６に示すフローチャートにおいて、まず、受信部５０１（図５参照）が、カプセル化されたイーサネットフレーム（ＩＰパケット）と、カプセル化の方式情報を受信する（ステップＳ６０１）。
【００６０】
次に、カプセル化方式情報解析部５０２（図５参照）が、受信したカプセル化の方式情報を解析する（ステップＳ６０２）。Ａ階層処理部５０３のカプセル化解除部５１１（図５参照）が、カプセル化方式情報解析部５０２の解析結果に基づき、Ａ階層用イーサネットフレームのカプセル化解除処理を行う（ステップＳ６０３）。また、ステップＳ６０３の処理と並行して、Ｂ階層処理部５０４のカプセル化解除部５１２（図５参照）が、カプセル化方式情報解析部５０２の解析結果に基づき、Ｂ階層用イーサネットフレームのカプセル化解除処理を行う（ステップＳ６０４）。統合部５０５（図５参照）が、Ａ階層用イーサネットフレームとＢ階層用イーサネットフレームとを統合する（ステップＳ６０５）。再生部５０６（図５参照）が、放送コンテンツの再生を行う（ステップＳ６０６）。
【００６１】
この実施の形態にかかる放送コンテンツ受信装置によれば、上記のような手順により、送信元ＩＰアドレスや宛先ＩＰアドレスに基づいてＡ階層またはＢ階層に放送コンテンツ
が別けられるので、受信機が部分受信（たとえばＡ階層のみ受信）している場合でも、その階層のＩＰ通信サービスが受けられる。なお、ＩＰアドレスに基づいて割り振られていることによって、パケットの到着順序が入れ替わることはない。また、パターンによる振り分けによって、Ａ階層とＢ階層をまたいだ広帯域のＩＰトラフィックを受信させることもできる。
【００６２】
以上説明したように、この実施の形態によれば、伝送したい放送コンテンツを、地上デジタル放送網を介して受信側に伝送させることができる。特に、地上波デジタル放送として規定されたＡＲＩＢに準拠して、送出側では、放送コンテンツであるイーサネットフレームをＡ階層とＢ階層とに振り分けて伝送させ、受信側では、Ａ階層とＢ階層とを統合して再生することができるようになる。
【００６３】
なお、この実施の形態で説明した放送コンテンツの伝送および受信にかかる方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００６４】
以上のように、この発明は、地上デジタル放送に有用であり、特に、ＡＲＩＢの規定に準拠し、コンテンツのデータを、デジタル放送網を介して受信側に伝送させることができるため、デジタル放送を伝送する伝送装置や受信装置に適している。
【図面の簡単な説明】
【００６５】
【図１】この発明の実施の形態にかかる放送コンテンツ伝送装置および放送コンテンツ受信装置の概要を説明するための図である。
【図２】この発明の実施の形態にかかる放送コンテンツ伝送装置の機能的構成を示すブロック図である。
【図３】この発明の実施の形態にかかる放送コンテンツ伝送装置が行う放送コンテンツ伝送処理手順を示すフローチャートである。
【図４】図３の所定の振り分けパターンによる振り分け処理（ステップＳ３１７）の手順を示すフローチャートである。
【図５】この発明の実施の形態にかかる放送コンテンツ受信装置の機能的構成を示すブロック図である。
【図６】この発明の実施の形態にかかる放送コンテンツ受信装置が行う放送コンテンツ受信処理手順を示すフローチャートである。
【符号の説明】
【００６６】
１００  アプリケーションサーバ
１０１  放送コンテンツ伝送装置
１０２  放送コンテンツ受信装置
２０１  コンテンツ入力部
２０２  振り分け部
２０３，５０３  Ａ階層処理部
２０４，５０４  Ｂ階層処理部
２１１，２１４  カプセル化部
２１２，２１５  カプセル化方式情報生成部
２１３，２１６  送出部
５０１  受信部
５０２  カプセル化方式情報解析部
５０５  統合部
５０６  再生部
５１１，５１２  カプセル化解除部
【図１】
0004688651.tif 000002
【図２】
0004688651.tif 000003
【図３】
0004688651.tif 000004
【図４】
0004688651.tif 000005
【図５】
0004688651.tif 000006
【図６】
0004688651.tif 000007